(57)【特許請求の範囲】
【請求項１】
主回路トランジスタのベース端子に与えられる信号により動作するＤＣ／ＤＣ変換部と、前記ＤＣ／ＤＣ変換部に駆動信号を送出する主回路駆動部と、を有する自励式スイッチングレギュレータにおいて、
前記ＤＣ／ＤＣ変換部は、前記主回路トランジスタと、前記主回路トランジスタの出力側の主端子に接続された平滑用インダクタと、前記平滑用インダクタの前記入力端子に一方の端子が接続され、他方の端子がグランド端子に接続されたフライホイールダイオードと、前記平滑用インダクタの二次巻線を構成する補助インダクタ、および当該補助インダクタに直列接続されたコンデンサと抵抗からなり、前記補助インダクタとコンデンサと抵抗との直列接続回路の一方の端子が前記主回路トランジスタの入力端子に接続され、他方の端子が前記主回路トランジスタのベース端子に接続され、かつ、前記補助インダクタは、前記平滑用インダクタに流れる電流が増加するときに、前記主回路トランジスタのベース端子側が負、ＤＣ入力端子側が正となるように巻回されている、主回路補助回路と、を有し、
前記主回路駆動部は、前記主回路トランジスタのベース電流が流れる向きに前記コンデンサを充電する回路を備えてなり、前記主回路トランジスタを起動するときには、当該トランジスタのベース端子を電流リミッタを介してグランド端子に接続し、前記コンデンサを前記ＤＣ入力端子に印加される電圧により充電するものであり、主回路駆動用トランジスタを有し、前記主回路駆動用トランジスタのベース端子には、起動抵抗を介してＤＣ入力端子が接続され、前記主回路駆動用トランジスタの一方の主端子は前記主回路トランジスタのベース端子に接続されるとともに他方の端子はグランド端子に接続され、かつ、前記主回路トランジスタのベース端子、前記主回路駆動用トランジスタの一方の主端子、前記主回路駆動用トランジスタの他方の主端子、および前記グランド端子の経路に、前記電流リミッタが介在してなり、
さらに、ＤＣ出力端子の電圧を検出する出力電圧検出部と、前記出力電圧検出部からのＤＣ出力電圧検出値を入力する端子を備えた出力制御部と、を有し、
前記出力電圧検出部は、前記ＤＣ出力端子の電圧を分圧する第１分圧回路を有し、
前記出力制御部は、前記第１分圧回路の分圧点が検出端子に接続され、アノード端子がグランド端子に接続され、前記第１分圧回路の分圧点の電圧が所定の基準値を超えると動作するシャント回路と、前記平滑用インダクタの出力側と前記ＤＣ出力端子との間に直列に接続された過電流検出用抵抗と、一端側が前記ＤＣ出力端子に接続された第１駆動抵抗と、一端側が前記第１駆動抵抗の他端側に接続され、他端側が前記シャント回路のカソード端子に接続された第２駆動抵抗と、ベース端子が前記第１駆動抵抗と前記第２駆動抵抗との接続点に接続され、エミッタ端子が前記平滑用インダクタの出力側に接続されたＰＮＰ形の第１トランジスタと、前記第１トランジスタのコレクタ端子とグランド端子との間に接続された第２分圧回路と、ベース端子が前記第２分圧回路の分圧点に接続され、エミッタ端子がグランド端子に接続され、コレクタ端子が前記主回路駆動用トランジスタのベース端子に接続されたＮＰＮ形の第２トランジスタと、を有している、ことを特徴とする自励式スイッチングレギュレータ。
【発明の詳細な説明】
【０００１】
【発明の属する技術分野】
本発明は、降圧形の自励式スイッチングレギュレータに関し、出力電圧にリップルがなくても安定した動作を行うことができ、かつ主回路トランジスタの損失を低減することができる自励式スイッチングレギュレータに関する。
【０００２】
【従来の技術】
従来、自励式スイッチングレギュレータとして、図８に示す回路が知られている。図８において、スイッチングレギュレータ９のＤＣ入力端子ａ′，グランド端子ＧＮＤ′間には、直列接続された抵抗Ｒ１′とツェナーダイオードＺＤ１′とが、ＤＣ入力端子ａ′側にＲ１′が位置し、グランド端子ＧＮＤ′側にＺＤ１′が位置するように接続されている。
【０００３】
ＤＣ入力端子ａ′には、ＰＮＰ形の主回路トランジスタＱ１′が、エミッタ端子Ｅがａ′側に位置するように接続され、エミッタ端子Ｅとベース端子Ｂ間には抵抗Ｒ２′が接続され、コレクタ端子Ｃには帰還抵抗Ｒ３′の一方の端子が接続されている。
【０００４】
抵抗Ｒ１′とツェナーダイオードＺＤ１′との接続点には、抵抗Ｒ４′の一方の端子が接続され、抵抗Ｒ４′の他方の端子には、抵抗Ｒ５′の一方の端子および前記した帰還抵抗Ｒ３′の他方の端子が接続され、抵抗Ｒ５′の他方の端子はグランド端子ＧＮＤ′に接続されている。
【０００５】
ＮＰＮ形のトランジスタＱ２′のコレクタ端子Ｃは主回路トランジスタＱ１′のベース端子Ｂに接続され、トランジスタＱ２′のベース端子Ｂは抵抗Ｒ３′，Ｒ４′，Ｒ５′の接続点に接続されている。ＮＰＮ形のトランジスタＱ３′は、トランジスタＱ２′ともに比較回路を構成しており、トランジスタＱ３′のコレクタ端子ＣはＤＣ出力端子ｂ′に接続されている。
【０００６】
トランジスタＱ３′のベース端子Ｂは、後述する出力電圧検出用の直列接続抵抗Ｒ７′，Ｒ８′間に接続され、トランジスタＱ２′およびＱ３′の各エミッタ端子Ｅは抵抗Ｒ６′の一方の端子に接続され、抵抗Ｒ５′の他方の端子はグランドに接続されている。
【０００７】
主回路トランジスタＱ１′のコレクタ端子Ｃは、平滑用のインダクタＬ１′の一方の端子に接続され、ンダクタＬ１′の他端はＤＣ出力端子ｂ′に接続されている。
【０００８】
主回路トランジスタＱ１′のコレクタ端子ＣとインダクタＬ１′との接続点には、フライホイールダイオードＤ１′の一方の端子が接続され、フライホールダイオードＤ１′の他方の端子はグランド端子ＧＮＤ′に接続されている。
【０００９】
インダクタＬ１′の他方の端子はＤＣ出力端子ｂ′に接続されている。ＤＣ出力端子ｂ′とグランド端子ＧＮＤ′間には、抵抗Ｒ７′とＲ８′の直列接続回路がＲ７′がＤＣ出力端子ｂ′に位置するように接続されるとともに、平滑用のコンデンサＣ′が接続されている。抵抗Ｒ７′とＲ８′は、シャント回路を構成しており、前述したように抵抗Ｒ７′とＲ８′との接続点ｄがトランジスタＱ２′のベース端子Ｂに接続されている。
【００１０】
図８の自励式スイッチングレギュレータ９の動作を以下に説明する。
【００１１】
入力電圧Ｖｉｎが、ＤＣ入力端子ａ′，グランド端子ＧＮＤ′間に印加されると、抵抗Ｒ１′，Ｒ４′を介して、トランジスタＱ２′のベース端子Ｂに電流が注入され、トランジスタＱ２′がターンオンする。このとき、Ｒ３′とＲ４′とＲ５′との接続点（ｒｅｆで示す）、すなわちトランジスタＱ２′のベース端子Ｂには基準電圧が現われている。
【００１２】
トランジスタＱ２′のターンオンにより、主回路トランジスタＱ１′のベース端子Ｂに電流が流れ、主回路トランジスタＱ１′はターンオンを開始する。主回路トランジスタＱ１′のターンオンが開始すると、接続点ｒｅｆの電位が上昇し抵抗Ｒ３′による正帰還がなされ、主回路トランジスタＱ１′のターンオンが速やかに完了する。主回路トランジスタＱ１′を流れる電流は、インダクタＬ１′を介してＤＣ出力端子ｂ′側に供給される。ＤＣ出力端子ｂ′，グランド端子ＧＮＤ′間の電圧が上昇するとコンデンサＣ′が充電されるとともに、抵抗Ｒ７′とＲ８′との接続点ｄの電位が上昇する。
【００１３】
接続点ｄの電位がＲ４′とＲ５′との接続点ｒｅｆの電位に等しくなると、トランジスタＱ３′がターンオンするとともに、トランジスタＱ２′がターンオフする。トランジスタＱ２′がターンオフすると、主回路トランジスタＱ１′もターンオフする。この後、インダクタＬ１′に蓄積されたエネルギーは、電流としてフライダイオードＤ１′→インダクタＬ１′の経由でＤＣ出力端子ｂ′側に流れる。
【００１４】
この後、ＤＣ出力端子ｂ′，グランド端子ＧＮＤ′間の電位が低下すると、トランジスタＱ３′がターンオフするとともに、トランジスタＱ２′がターンオンする。
【００１５】
以下、同様にして、主回路トランジスタＱ１′のターンオン，ターンオフが繰り返される。
【００１６】
【発明が解決しようとする課題】
図８のスイッチングレギュレータ９ではトランジスタＱ２′の安定したオン・オフ（すなわち、急峻なトランジスタＱ２′のオン・オフ）を行うためには、Ｑ３′のベース端子への急激な電流注入が必要となる。この電流注入は、出力のリップル電圧により行われる。したがって、図８のスイッチングレギュレータでは、ＤＣ出力電圧Ｖｏｕｔのリップルを小さくすることが容易ではない。
【００１７】
また、図８のスイッチングレギュレータでは、主回路トランジスタＱ１′のオン・オフは、トランジスタＱ２′のオン・オフに頼っている。特に、図８では、主回路トランジスタＱ１′のエミッタ端子Ｅとベース端子Ｂとの間には抵抗Ｒ２′が設けられており、この抵抗Ｒ２′と主回路トランジスタＱ１′のエミッタベース間のＰＮ接合容量により、ＲＣ回路が形成される。このため、トランジスタＱ２′がターンオンしても、主回路トランジスタＱ１′は直ちにはターンオンできないし、トランジスタＱ２′がターンオフしても、主回路トランジスタＱ１′は直ちにはターンオフできない。
【００１８】
したがって、図９（Ａ）に示すように、主回路トランジスタＱ１′のコレクタ端子Ｃの電圧の立上りおよび立下り時の波形は急峻とはならず、損失が無視できない場合が生じる。なお、図９（Ｂ）に理想的な主回路トランジスタの出力波形を示しておく。
【００１９】
本発明の目的は、ＤＣ出力電圧にリップルがなくても安定した動作が可能な自励式スイッチングレギュレータを提供することである。
【００２０】
本発明の他の目的は、主回路トランジスタのターンオン，ターンオフ時の損失を低減することができる自励式スイッチングレギュレータを提供することである。
【００２１】
【課題を解決するための手段】
本発明の自励式スイッチングレギュレータは、主回路トランジスタのベース端子に与えられる信号により動作するＤＣ／ＤＣ変換部と、ＤＣ／ＤＣ変換部に駆動信号を送出する主回路駆動部とを有する。
【００２２】
本発明では、ＤＣ／ＤＣ変換部は、前記した主回路トランジスタと、主回路トランジスタの出力側の主端子に接続された平滑用インダクタと、この平滑用インダクタの入力端子に一方の端子が接続され、他方の端子がグランド端子に接続されたフライホイールダイオードと、次に述べる主回路補助回路とからなる。
【００２３】
主回路補助回路は、平滑用インダクタの二次巻線を構成する補助インダクタ、およびこの補助インダクタに直列接続されたコンデンサと抵抗からなる。補助インダクタとコンデンサと抵抗の直列接続回路の一方の端子は、主回路トランジスタの入力端子に接続され、他方の端子が主回路トランジスタのベース端子に接続され、かつ、補助インダクタは、平滑用インダクタに流れる電流が増加するときに、主回路トランジスタのベース端子側が負、主回路トランジスタの入力端子側が正となるように巻回されている。
【００２４】
また、主回路駆動部は、前記主回路トランジスタのベース電流が流れる向きに前記コンデンサを充電する回路を備えている。
【００２５】
本発明の自励式スイッチングレギュレータは、主回路トランジスタをターンオンするに際して、当該主回路トランジスタのベース端子が順バイアスされるように充電したコンデンサの蓄積電荷をベース電流として供給するとともに、主回路トランジスタがターンオンを開始したときに、補助インダクタの起電力が、主回路トランジスタのベース端子を順バイアスするように作用する。
【００２６】
また、本発明の自励式スイッチングレギュレータは、主回路トランジスタのベース端子に電流が流れなくなるとき（主回路トランジスタがターンオフを開始したとき）に、補助インダクタの起電力が、主回路トランジスタのベース端子を逆バイアスするように作用する。
【００２７】
補助インダクタにより得られるベース電流は、微分波形であるので、高速かつ安定した主回路トランジスタのオン・オフを行うことができ、ＤＣ出力リップルを利用する必要はなくなる。また、主回路トランジスタの出力電圧の立上がりおよび立下りが急峻となり、当該主回路トランジスタでの損失は大幅に低減される。
【００２８】
本発明のスイッチングレギュレータでは、主回路駆動部は、主回路トランジスタを起動するときには、当該トランジスタのベース端子を電流リミッタを介してグランド端子に接続し、前記コンデンサをＤＣ入力端子に印加される電圧により充電するように構成できる。
【００２９】
この場合、主回路駆動部には、主回路駆動用トランジスタを備えることができる。主回路駆動用トランジスタのベース端子には、起動抵抗を介してＤＣ入力端子が接続され、主回路駆動用トランジスタの一方の主端子は前記主回路トランジスタのベース端子に接続されるとともに他方の端子はグランド端子に接続され、かつ、主回路トランジスタのベース端子、主回路駆動用トランジスタの一方の主端子、主回路駆動用トランジスタの他方の主端子、およびグランド端子の経路に、電流リミッタを介在させることができる。
【００３０】
さらに本発明の自励式スイッチングレギュレータでは、ＤＣ出力端子の電圧を検出する出力電圧検出部と、出力電圧検出部からのＤＣ出力電圧検出値を入力する端子を備えた出力制御部とを有することができ、出力制御部は、出力電圧検出値が、所定の基準値を超えたときは主回路駆動部の動作を禁じ、出力電圧検出値が、所定の基準値に達しないときは主回路駆動部の動作を許すように構成することができる。
【００３１】
この場合、出力制御部の制御信号出力端子が主回路駆動用トランジスタのベース端子に接続されるように構成でき、出力制御部は、出力電圧検出値が所定の基準値を超えるときに、主回路駆動用トランジスタのベース端子にオン信号を出力することで前記主回路駆動部の動作を禁じるようにできる。
【００３２】
【発明の実施の形態】
以下、本発明のスイッチングレギュレータの一実施形態を図１〜図５により説明する。
【００３３】
図１においてスイッチングレギュレータ１Ａは、たとえばプリンタに使用されるもので、ＤＣ／ＤＣ変換部１１と、主回路駆動部１２と、出力電圧検出部１３と、出力制御部１４と、出力部１５（平滑用コンデンサＣ２）とから構成されており、ＤＣ入力端子ａに与えられる４２〔Ｖ〕を、５〔Ｖ〕に変換してＤＣ出力端子ｂから出力することができる。
【００３４】
ＤＣ／ＤＣ変換部１１は、ＰＮＰ形の主回路トランジスタＱ１と、平滑用インダクタＬ１と、フライホイールダイオードＤ１と、主回路補助回路１１１とから構成されている。主回路トランジスタＱ１のエミッタ端子ＥはＤＣ入力端子ａに接続され、コレクタ端子Ｃは平滑用インダクタＬ１の一方の端子に接続されている。また、フライホイールダイオードＤ１は、カソード端子Ｋが主回路トランジスタＱ１，平滑用インダクタＬ１間に接続され、アノードＡがグランド端子ＧＮＤに接続されている。
【００３５】
主回路補助回路１１１は、平滑用インダクタＬ１の二次巻線を構成する補助インダクタＬ２と、抵抗Ｒ３と、コンデンサＣ１とからなる。補助インダクタＬ２の一方の端子は、主回路トランジスタＱ１の入力端子（エミッタ端子Ｅ）に接続されており、他方の端子は、コンデンサＣ１および抵抗Ｒ３を介して主回路トランジスタＱ１のベース端子Ｂに接続されている。補助インダクタＬ２は、平滑用インダクタＬ１に流れる電流が増加するときに、主回路トランジスタＱ１のベース端子Ｂ側が負、主回路トランジスタＱ１の入力端子側が正となるように巻回されている。
【００３６】
なお、平滑用インダクタＬ１と、補助インダクタＬ２との巻線比Ｎは、
Ｎ＝（ＶＩＮ−ＶＯＵＴ）／（ＶＱ１，ＢＥ＋０．２〔Ｖ〕）
ＶＩＮ；定格入力電圧
ＶＯＵＴ；定格入力電圧
ＶＱ１，ＢＥ；主回路トランジスタＱ１のエミッタ・ベース間電圧
とすることができる。
【００３７】
主回路駆動部１２は、ＮＰＮ形の主回路駆動用トランジスタＱ２と、起動抵抗Ｒ１と、リミッタ抵抗Ｒ２とからなる。主回路駆動用トランジスタＱ２エミッタＥはグランド端子ＧＮＤに接続されている。また、起動抵抗Ｒ１は、ＤＣ入力端子ａと主回路駆動用トランジスタＱ２，ベース端子Ｂ間に接続され、リミッタ抵抗Ｒ２は、主回路トランジスタＱ１のベース端子Ｂと、主回路駆動用トランジスタＱ２のコレクタ端子Ｃとの間に接続されている。
【００３８】
出力電圧検出部１３は、抵抗Ｒ９とＲ１０の直列接続回路からなり、両抵抗により、ＤＣ出力電圧Ｖｏｕｔを分圧し、分圧点（両抵抗の接続点）の電圧は後述するシャント回路（シャントＩＣ）の検出端子Ｓに出力される。
【００３９】
出力制御部１４は、前述したシャントＩＣと、抵抗Ｒ５，Ｒ６，Ｒ７，Ｒ８と、主回路駆動部制御用のＮＰＮ形のトランジスタＱ３およびＰＮＰ形のトランジスタＱ４とからなる。シャント回路ＩＣの検出端子Ｓは抵抗Ｒ９，Ｒ１０間に接続され、カソード端子Ｋは後述するトランジスタＱ４の駆動用抵抗Ｒ７，Ｒ８を介してＤＣ出力端子ｂに接続され、アノード端子Ａはグランド端子ＧＮＤに接続されている。抵抗Ｒ６は、過電流検出のために設けられるもので、平滑用インダクタＬ１の出力端子と、ＤＣ出力端子ｂとの間に接続されている。
【００４０】
トランジスタＱ３のコレクタ端子Ｃは、主回路駆動用トランジスタＱ２のベース端子Ｂに接続されている。また、トランジスタＱ３のエミッタＥはグランド端子ＧＮＤに接続されており、ベース端子Ｂは抵抗Ｒ４を介してグランド端子ＧＮＤに接続されるとともに、抵抗Ｒ５を介してトランジスタＱ４のコレクタ端子Ｃに接続されている。
【００４１】
トランジスタＱ４のベース端子Ｂは前述した駆動用抵抗Ｒ７，Ｒ８間に接続されており、エミッタ端子Ｅは平活用インダクタＬ１の出力側の端子に接続されている。
【００４２】
以下、図１の回路の動作を、図２〜図５により詳細に説明する。
【００４３】
ＤＣ入力電圧ＶｉｎがＤＣ入力端子ａ，グランド端子ＧＮＤ間に印加されると、主回路駆動用トランジスタＱ２のベース端子Ｂにはオン電流が流れ、当該トランジスタＱ２が、ターンオンする。図２に示すように、主回路駆動用トランジスタＱ２のターンオンにより、コンデンサＣ１は、補助インダクタＬ２側が（＋）、抵抗Ｒ３側が（−）になるように充電される（図２では、充電電流を破線矢印で示す）。これとともに、主回路トランジスタＱ１がターンオンを開始する。
【００４４】
電流が平滑用インダクタＬ１を流れ出すと、補助インダクタＬ２には、（主回路トランジスタＱ１のエミッタ端子Ｅ）→（主回トランジスタＱ１のベース端子Ｂ）→（抵抗Ｒ３）→（コンデンサＣ１）の向きに電流を流そうとする起電力が生じる。この起電力により、図３に示すように、コンデンサＣ１の放電が行われ、主回路トランジスタＱ１のベース端子Ｂには急激にベース電流が流れるので、ターンオンが速やかに行われる（図３では、放電電流を破線矢印で示す）。これにより、電流Ｉが、主回路トランジスタＱ１，平滑用インダクタＬ１を介してＤＣ出力端子ｂに向けて流れる。なお、抵抗Ｒ３，コンデンサＣ１の値を適宜設定することにより、主回路トランジスタＱ１がオンしている時間を設定することができる。
【００４５】
主回路補助回路１１１のコンデンサＣ１の放電が進むと、ベース端子Ｂには電流が流れなくなり、主回路トランジスタＱ１はターンオフを開始する。主回路トランジスタＱ１がターンオフすると、図４に示すように、平滑インダクタＬ１に蓄積されたエネルギーは、電流Ｉとして（フライホイールダイオードＤ１）→（平滑用インダクタＬ１）の経由でＤＣ出力端子ｂ側に流れる。このとき、主回路トランジスタＱ１の主回路電流（コレクタ電流）が減少しはじめると、補助インダクタＬ２には、（コンデンサＣ１）→（抵抗Ｒ３）→（主回路駆動用Ｑ１のベース端子Ｂ）→（主回路駆動用Ｑ１のエミッタ端子Ｅ）の向きに電流を流そうとする起電力が生じるので、トランジスタＱ１のオフ状態は維持される。
【００４６】
一方、上記のようにして電流が平滑用インダクタＬ１，抵抗Ｒ６を介してＤＣ出力端子ｂ側に電流が流れると、コンデンサＣ２が充電される。ＤＣ出力端子ｂ，グランド端子ＧＮＤ間の電圧がある電圧に達すると（抵抗Ｒ９，Ｒ１０の接続点の電位が、ある電圧に達すると）、図５に示すように、シャント回路ＺＤ１が動作し、カソード端子Ｋから電流の吸い込みを行う。これにより、抵抗Ｒ７，Ｒ８の接続点の電位が下がり、トランジスタＱ４がターンオンし、トランジスタＱ３のベース端子Ｂの電位が上昇し、トランジスタＱ３がターンオンし、主回路駆動用トランジスタＱ２もターンオフする。
【００４７】
ＤＣ出力端子ｂ，グランド端子ＧＮＤ間の電位が低下すると、シャントＩＣはオフし、トランジスタＱ４およびＱ３がターンオフする。これにより主回路駆動用トランジスタＱ２がターンオフするので、ＤＣ／ＤＣ変換部１１による変換動作が、上述のようにして繰り返される。
【００４８】
また、過電流検出用の抵抗Ｒ６を流れる電流がある値に達すると、トランジスタＱ４のベース端子Ｂの電位が下がり、ベース電流が引かれトランジスタＱ４がターンオンする。これにより、平滑インダクタＬ１の出力側の電圧は、抵抗Ｒ４とＲ５とにより分圧され、トランジスタＱ３のベースに与えられるので、トランジスタＱ３はターンオンする。トランジスタＱ３のターンオンにより、主回路駆動用トランジスタＱ２のベース端子Ｂがグランド電位となり、当該トランジスタＱ２はターンオフする。
【００４９】
図１の主回路トランジスタＱ１のベース端子Ｂには、ターンオン時には補助インダクタＬ１やコンデンサＣ１により強制的にベース電流が与えられるし、ターンオフ時には、補助インダクタＬ１やコンデンサＣ１により強制的にベース電流が流さない向きに電圧がかかるので、主回路トランジスタＱ１は、トランジスタ等の他のスイッチによらずに、ターンオンやターンオフができる。したがって、主回路トランジスタＱ１の出力波形として、図９（Ｂ）に示したと同様の波形を得ることができ、これによりＤＣ出力電圧にリップルによらずに安定した動作が可能であり、また主回路トランジスタのターンオン，ターンオフ時の損失を低減することができる。
【００５０】
図６は本発明のスイッチングレギュレータ１Ｂの他の実施形態を示す図である。図６では、主回路駆動部１６が図１の主回路駆動部１２とは異なり、主回路駆動用トランジスタＱ２のエミッタ端子Ｅは、リミッタ抵抗Ｒ２を介してグランド端子ＧＮＤに接続されている。リミッタ抵抗Ｒ２には、主回路駆動用トランジスタＱ２のゲイン補償用のコンデンサＣ３が並列接続されている。図６のスイッチングレギュレータ１Ｂの動作は、実質上、上述した実施形態のスイッチングレギュレータ１Ａと同一である。
【００５１】
図７は、本発明のスイッチングレギュレータ１Ｃの更に他の実施形態を示す図である。図７では、出力制御部１７が、図１の出力電圧検出部１３および出力制御部１４の双方の機能を合わせた持っている。出力電圧が所定の値を超えたとき、および主回路（（ＤＣ入力端子ａ主回路トランジスタＱ１の両主端子）→（平滑用インダクタＬ１）→（ＤＣ出力端子ｂ）に至る経路）に過電流が流れた場合には、トランジスタＱ４，Ｑ３が動作する。図７のスイッチングレギュレータ１Ｃの動作も、実質上、上述した実施形態のスイッチングレギュレータ１Ａと同一である。
【００５２】
【発明の効果】
本発明の自励式スイッチングレギュレータでは、補助インダクタの起電力を利用して、主回路トランジスタのターンオン、ターンオフを行っている。補助インダクタにより得られるベース電流は、微分波形であるので、高速かつ安定した主回路トランジスタのオン・オフを行うことができ、ＤＣ出力リップルを利用する必要はなくなる。また、主回路トランジスタの出力電圧の立上がりおよび立下りが急峻となり、当該主回路トランジスタでの損失は大幅に低減される。
【図面の簡単な説明】
【図１】本発明のスイッチングレギュレータの一実施形態を示す回路図である。
【図２】図１のスイッチングレギュレータの主回路トランジスタの起動時の回路動作説明図である。
【図３】主回路トランジスタがターン・オンするときの様子を示す回路動作説明図である。
【図４】主回路トランジスタがターン・オフした後、フライホイールダイオードがオンした様子を示す回路動作説明図である。
【図５】シャント回路が動作し、カソード端子から電流の吸い込みを行ったときに、主回路駆動用トランジスタがターンオフする様子を示す回路動作説明図である。
【図６】主回路駆動用トランジスタのエミッタ端子が、リミッタ抵抗を介してグランド端子に接続された、本発明のスイッチングレギュレータの他の実施形態を示す回路図である。
【図７】出力制御部が、出力電圧検出部および出力制御部の双方の機能を合わせた持っている、本発明のスイッチングレギュレータのさらに他の実施形態を示す回路図である。
【図８】従来の自励式スイッチングレギュレータを示す回路図である。
【図９】（Ａ）は、従来のスイッチングレギュレータにおける主回路トランジスタのコレクタ端子の電圧の立上りおよび立下り時の出力波形を示す図、（Ｂ）は理想的な主回路トランジスタの出力波形を示す図である。
【符号の説明】
１Ａ，１Ｂ，１Ｃ  スイッチングレギュレータ
１１  ＤＣ／ＤＣ変換部
１２  主回路駆動部
１３  出力電圧検出部
１４  出力制御部
１５  出力部
１１１  主回路補助回路
【図１】
0004110357.tif 000002
【図２】
0004110357.tif 000003
【図３】
0004110357.tif 000004
【図４】
0004110357.tif 000005
【図５】
0004110357.tif 000006
【図６】
0004110357.tif 000007
【図７】
0004110357.tif 000008
【図８】
0004110357.tif 000009
【図９】
0004110357.tif 000010